(57)【要約】【課題】タンク内や供給管内での安定液による閉塞を防ぐと共に、搬送性を向上させた貯留設備を提供する。【解決手段】蛇腹状に折り畳み可能で、掘削の際に使用される安定液を貯留するフレキシブルタンク１と、このフレキシブルタンク１を支持するフレーム２と、フレキシブルタンク１に貯留された安定液を搬送する送液管３と、を備えた貯留設備であって、前記フレーム２は、支柱２１と、この支柱２１に取付けられると共に、前記フレキシブルタンク１を保持する上部横架部材２２と、を備え、前記フレームの支柱２１は、上下方向にスライド自在な伸長部２１Ａと、この伸長部２１Ａを収納可能な脚部２１Ｂと、を有する構成とする。【選択図】図２
2006327608.tif 000002
【特許請求の範囲】
【請求項１】
蛇腹状に折り畳み可能で、掘削の際に使用される安定液を貯留するフレキシブルタンクと、このフレキシブルタンクを支持するフレームと、フレキシブルタンクに貯留された安定液を搬送する送液管と、を備えた貯留設備であって、
前記フレームは、支柱と、この支柱に取付けられると共に、前記フレキシブルタンクを保持する上部横架部材と、を備え、
前記フレームの支柱は、上下方向にスライド自在な伸長部と、この伸長部を収納可能な脚部と、を有する構成とされた、
ことを特徴とする貯留設備。
【請求項２】
前記送液管には、前記フレキシブルタンク内の下部に安定液を戻す戻し配管が取付けられた、請求項１記載の貯留設備。
【請求項３】
前記送液管及び戻し配管には、それぞれピンチ弁が取付けられ、このピンチ弁によって安定液の流量制御がされる構成とされた、請求項１又は２記載の貯留設備。
【請求項４】
前記フレキシブルタンクの上方の開口を覆うように、蓋が取付けられた、請求項１乃至３のいずれか１項記載の貯留設備。
【発明の詳細な説明】
【技術分野】
【０００１】
本発明は、貯留設備に関し、詳しくは掘削の際に使用される安定液を貯留し、現場へ安定液を供給する貯留設備に関するものである。
【背景技術】
【０００２】
従来より、下水道管や函渠（ボックスカルバート）などの管体を溝孔内に沈設して埋設するに際して、安定液を充填しながら掘削溝を掘削するとともに、人孔や管体等を沈設していくが、この安定液としてベントナイト泥水などの粘性の高い溶液が使用されている（例えば、特許文献１参照）。
【特許文献１】特許３４０３６７４号公報
【発明の開示】
【発明が解決しようとする課題】
【０００３】
現地プラントで製造された安定液は、貯留タンク内でストックされるが、しかしながら、ベントナイト泥水は静置すると流動性を失うという「チキソトロピー性」を有しているために、静置状態が長時間にわたる場合に、貯留タンク内や供給管内でベントナイトが固化して閉塞させてしまうという問題があった。
また、貯留タンクは大型のため、各工事現場への搬送性がよくないという問題もあった。
【０００４】
そこで、本発明の主たる課題は、タンク内や供給管内での安定液による閉塞を防ぐと共に、搬送性を向上させた貯留設備を提供することにある。
【課題を解決するための手段】
【０００５】
上記課題を解決した本発明は、次のとおりである。
＜請求項１記載の発明＞
請求項１記載の発明は、蛇腹状に折り畳み可能で、掘削の際に使用される安定液を貯留するフレキシブルタンクと、このフレキシブルタンクを支持するフレームと、フレキシブルタンクに貯留された安定液を搬送する送液管と、を備えた貯留設備であって、前記フレームは、支柱と、この支柱に取付けられると共に、前記フレキシブルタンクを保持する上部横架部材と、を備え、前記フレームの支柱は、上下方向にスライド自在な伸長部と、この伸長部を収納可能な脚部とを有する構成とされた、ことを特徴とする貯留設備である。
【０００６】
（作用効果）
蛇腹状に折り畳み可能なフレキシブルタンクが、上下方向にスライド自在な伸長部と、この伸長部を収納可能な脚部とを有する支柱を備えたフレームに取付けられた構成により、貯留設備の搬送の際には、支柱の脚部内に伸長部を納めることによって、フレームに支持されたフレキシブルタンクを折り畳み、貯留設備全体をコンパクト化することができ、その結果、貯留設備の搬送の容易化を図ることができる。
【０００７】
＜請求項２記載の発明＞
請求項２記載の発明は、前記送液管には、前記フレキシブルタンク内の下部に安定液を戻す戻し配管が取付けられた、請求項１記載の貯留設備である。
【０００８】
（作用効果）
送液管には、フレキシブルタンク内の下部に安定液を戻す戻し配管が取付けられていることにより、フレキシブルタンク内には常に安定液の流れが生じ、安定液の流動性が確保される。そのため、タンク内や供給管（送液管）内でベントナイトが固化して閉塞させてしまうという問題が生じない。また、タンク内での安定液の流動性を確保するための、攪拌設備等を設ける必要がないため設備コストが掛からない。
【０００９】
＜請求項３記載の発明＞
請求項３記載の発明は、前記送液管及び戻し配管には、それぞれピンチ弁が取付けられ、このピンチ弁によって安定液の流量制御がされる構成とされた、請求項１又は２記載の貯留設備である。
【００１０】
（作用効果）
送液管及び戻し配管には、それぞれピンチ弁が取付けられ、このピンチ弁によって安定液の流量制御がされる構成となっていることにより、手動式の弁とは異なり遠隔操作が可能であるため、作業効率を向上させることができる。
【００１１】
＜請求項４記載の発明＞
請求項４記載の発明は、前記フレキシブルタンクの上方の開口を覆うように、蓋が取付けられた、請求項１乃至３のいずれか１項記載の貯留設備である。
【００１２】
（作用効果）
フレキシブルタンクの上方の開口を覆うように、蓋が取付けられていることにより、安定液がフレキシブルタンクから溢れたり、安定液の飛沫が外部に飛び出すこと等を防止することができる。
【発明の効果】
【００１３】
本発明によれば、タンク内や供給管内での安定液による閉塞を防ぐと共に、搬送性を向上させることができる等の利点がもたらされる。
【発明を実施するための最良の形態】
【００１４】
以下、本発明の実施の形態を図１乃至図５に基づき説明する。なお、図１は本発明に係る貯留設備の概略図であり、図２は本発明に係る貯留設備の正面図であり、図３はその平面図であり、図４はその縦断面図及び正面図であり、図５は本発明に係る貯留設備の収納時の正面図である。
【００１５】
本発明に係る貯留設備は、上下方向に伸縮自在なフレキシブルタンク１と、このフレキシブルタンク１を支持するフレーム２と、フレキシブルタンク１に貯留された安定液を現場（例えば掘削溝）に供給する送液管３と、この送液管３から分岐され、フレキシブルタンク１内に安定液を戻す戻し配管４と、を備えている。
フレキシブルタンク１は、筒状のタンク本体１１と、このタンク本体１１の下端部に設けられた底部ホッパー１２と、を備えている。タンク本体１１の側壁は蛇腹状に折り畳みが可能になっており、上下方向に伸縮自在となっている。
【００１６】
タンク本体１１の材質としては、不透水性と可撓性を有するシート素材からなっており、布製シートや合成樹脂製シート等を考えることができる。合成樹脂製シートとしては、例えば、ポリエチレンやポリプロピレンなどからなるものを考えることができる。また、このタンク本体１１には、円筒形状であることを維持するために所望の間隔をおいて複数箇所に針金やリング等の骨部材１３，１３，…が取付けられている。これらの骨部材１３，１３，…は、タンク本体１１の側壁に取付けられたシート片１４，１４，…によってタンク本体１１に固定されている。このシート片１４，１４，…の材質としては、タンク本体１１の材質と同材を用いることができる。タンク本体１１の側壁上端には、リング部材１５が取付けられており、このリング部材１５が、後述する上部横架部材２２に設けられたシャックル２７，２７，…に保持されていることにより、タンク本体１１の側壁が起立するようになっている。
【００１７】
上記のようなタンク本体１１の材質及び構成によって、施工時には図２に示すように、タンク本体１１の側壁を伸長させて安定液を貯留し、搬送時には図５に示すように、タンク本体１１を折り畳みコンパクトにすることができる。なお、本実施の形態におけるタンク本体１１の形状としては、円筒形であるがこれに限られず、直方体、立方体又は底面が多角形の筒状体でもよい。
【００１８】
底部ホッパー１２は、筒状のタンク本体１１の下端部に設けられた漏斗状部材であり、出口側には、送液管３が連結されている。この底部ホッパー１２の側壁には、後述するフレーム２を構成する支柱２１，２１，…の脚部２１Ｂ，２１Ｂ，…の上端部が固定されている。また、底部ホッパー１２の側壁には、後述する戻し配管４の出口が連結されている。  
【００１９】
フレーム２は、複数の支柱２１，２１，…と、タンク本体１１を支持する上部横架部材２２と、支柱２１，２１，…の下端部を連結するベース枠部材２３と、を備えている。支柱２１は、伸長部２１Ａと脚部２１Ｂとを備え、脚部２１Ｂは伸長部２１Ａを収納可能な鞘構造であり、伸長部２１Ａはこの脚部２１Ｂに対して上下方向にスライドし伸長可能な構成となっている。現場作業の際には、図２に示すように脚部２１Ｂから伸長部２１Ａをスライドさせて伸ばし、任意の位置で脚部２１Ｂと伸長部２１Ａとをボルト２８等で固定しておけばよく、貯留設備の搬送の際には、図５に示すように脚部２１Ｂ内に伸長部２１Ａの一部を納めてしまえばよい。タンク本体１１の側壁の上端部は、上部横架部材２２に保持される構成になっているので、支柱２１の伸長部２１Ａを下方にスライドさせることによって、タンク本体１１の側壁が蛇腹状に折り畳まれるようになっている。このように、支柱２１を伸長自在とし、かつタンク本体１１を蛇腹状に折り畳み可能な構成とすることにより、貯留設備の全体容積をコンパクト化（本実施の形態では、施工時の約６０％程度までに減少）することができるようになっている。そのため、貯留設備の搬送の容易化を図ることができるようになっている。なお、本実施の形態における支柱２１の数は４本であるが、これに限られるものではない。
【００２０】
また、上部横架部材２２には、フレキシブルタンク１の上方を覆うように蓋２４が取付けられており、この蓋２４により、安定液がフレキシブルタンク１から溢れたり、安定液の飛沫が外部に飛び出すこと等を防止している。なお、この蓋２４は必ずしも必要ではなく、貯留される安定液の液面よりも側壁がかなり高い等の場合には、蓋２４はなくてもよい。また、図２及び図３において、２５はレベル計であり、２６は点検蓋を示している。
【００２１】
上部横架部材２２は、支柱２１，２１，…の伸長部２１Ａ，２１Ａ，…の上端部に取付けられ、これら支柱２１，２１，…を連結している。上部横架部材２２には、ボルト２９等を介してシャックル２７が複数取付けられており、これらのシャックル２７，２７，…にタンク本体１１の側壁上端に取付けられたリング部材１５が保持されている。
【００２２】
ベース枠部材２３は、支柱２１，２１，…の脚部２１Ｂ，２１Ｂ，…の下端部に取付けられ、これら支柱２１，２１，…を連結している。なお、ベース枠部材２３は、必要に応じて設ければよく必ずしも必要としない。また、本実施の形態におけるベース枠部材２３は、転倒防止等の観点から、そのフレーム形状を正方形にしているが、これに限られず円形や多角形等でもよい。
【００２３】
作液された安定液又は現場（掘削溝）からの戻りの安定液は、ポンプ５１で圧送され、安定液供給管５の出口からフレキシブルタンク１内に供給される。なお、安定液供給管５の先端部（出口側部）は、フランジ部分で取外しが可能となっており、貯留設備の搬送の際には、図５に示すように、この安定液供給管５の先端部を取外せばよい。
【００２４】
送液管３は、底部ホッパー１２の下端部に取付けられており、フレキシブルタンク１に貯留された安定液はポンプ３４により圧送されて、最終的に現場（掘削溝）に供給される。送液管３には、第１のゲート弁３１と、第２のゲート弁３２と、第１のピンチ弁３３と、が取付けられている。第１のゲート弁３１は送液管３の基端側（入口側）に取付けられており、施工の休止時や貯留設備の搬送時等には、この第１のゲート弁３１を閉じればよい。この第１のゲート弁３１より出口側には安定液を圧送するポンプ３４が取付けられており、このポンプ３４より出口側には後述する戻し配管４が分岐されている。送液管３における分岐部分よりも出口側には、入口側より第２のゲート弁３２と第１のピンチ弁３３とがそれぞれ取付けられており、第１のピンチ弁３３を通過した安定液は、最終的に現場（掘削溝）に供給されるようになっている。
【００２５】
戻し配管４は、送液管３から分岐し、この戻し配管４には、入口側から第３のゲート弁４２と第２のピンチ弁４３とがそれぞれ取付けられており、前述したように底部ホッパー１２の側壁に戻し配管４の出口が連結されているため、第２のピンチ弁４３を通過した安定液はフレキシブルタンク１内に戻されるようになっている。このため、安定液を搬送する送液管３が下部に接続された漏斗状の底部ホッパー１２には、常に安定液の流れが生じ、安定液の流動性が確保される。そのため、タンク内や供給管（送液管）内でベントナイトが固化して閉塞させてしまうという問題が生じない。また、タンク内での安定液の流動性を確保するための、攪拌設備等を設ける必要がないため設備コストが掛かることがない。
【００２６】
送液管３に取付けられた第１のピンチ弁３３と、戻し配管４に取付けられた第２のピンチ弁４３にはコンプレッサー（図示せず）等により圧送されるエアを供給するエア供給管（図示せず）が取付けられており、このエアによってピンチ弁の流量制御がされるようになっている。そのため、エアを圧送している状態では所定の送液圧以上の場合にのみ安定液が各ピンチ弁を通過する構成となっており、エアの入切を手元操作盤（図示せず）で操作することにより、弁の開閉を制御するようになっている。ピンチ弁によって流量制御をする構成であることにより、手動式の弁とは異なり遠隔操作が可能となるため、作業効率を向上させることができる。なお、第１のピンチ弁３３と第２のピンチ弁４３にそれぞれ別々のコンプレッサーを取付けてもよいし、同一のものを共有してもよい。
【００２７】
第３のゲート弁４２を閉じることにより、戻し配管４内に安定液を送液することなく、フレキシブルタンク１内に貯留された安定液をすべて現場（掘削溝）等に供給することができ、特に、フレキシブルタンク１内の洗浄の際に第３のゲート弁４２は閉じられる。また、第２のゲート弁３２を閉じることにより、安定液を外部に送液することなく、安定液を送液管３、戻し配管４及びフレキシブルタンク１内を循環させることができる。
【００２８】
なお、送液管３と戻し配管４を流れる安定液の量のそれぞれの調整は、第１のゲート弁３１、第２のゲート弁３２及び第３のゲート弁４２によって調整することもできる。
【図面の簡単な説明】
【００２９】
【図１】本発明に係る貯留設備の概略図である。
【図２】本発明に係る貯留設備の正面図である。
【図３】その平面図である。
【図４】その縦断面図及び正面図である。
【図５】本発明に係る貯留設備の収納時の正面図である。
【符号の説明】
【００３０】
１…フレキシブルタンク、２…フレーム、３…送液管、４…戻し配管、５…安定液供給管、１１…タンク本体、１２…底部ホッパー、１３…骨部材、１４…シート片、１５…リング部材、２１…支柱、２１Ａ…伸長部、２１Ｂ…脚部、２２…上部横架部材、２３…ベース枠部材、２４…蓋、２５…レベル計、２６…点検蓋、２７…シャックル、２８…ボルト、２９…ボルト、３１…第１のゲート弁、３２…第２のゲート弁、３３…第１のピンチ弁、３４…ポンプ、４２…第３のゲート弁、４３…第２のピンチ弁、５１…ポンプ。
【図１】
2006327608.tif 000003
【図２】
2006327608.tif 000004
【図３】
2006327608.tif 000005
【図４】
2006327608.tif 000006
【図５】
2006327608.tif 000007